(57)【要約】【課題】  径管栄養法の３方法に対応し、圧縮空気を病院既存の機器を利用し、煩雑な作業の簡略化と負担の軽減。【解決手段】  筒状のスタンド（２）の上部にねじ部（６）を設け、スタンド（２）にフタ（１）を設け、スタンド（２）の下部に抜け穴（８）を設け、フタ（１）の上面に穴（５）を設け、穴（５）にとろみ剤用ジョイント（９）を設け、筒状のスタンド（２）の内側にボトル（３）を設け、ボトル（３）ボトル突起を設け（４）内に浮き弁（１０）を設けたことをを特徴とする。【選択図】図１
2012250008.tif 000002
【特許請求の範囲】
【請求項１】
筒状のスタンド（２）の上部にねじ部（６）を設け、スタンド（２）にフタ（１）を設け、スタンド（２）の下部に抜け穴（８）を設け、フタ（１）の上面に穴（５）を設け、穴（５）にとろみ剤用ジョイント（９）を設け、筒状のスタンド（２）の内側にボトル（３）を設け、ボトル（３）ボトル突起を設け（４）内に浮き弁（１０）を設けたことを特徴とする径管栄養の投与器。
【請求項２】
筒状のスタンド（２）の上部にねじ部（６）を設け、スタンド（２）にフタ（１）を設け、スタンド（２）の下部に抜け穴（８）を設け、フタ（１）の上面に穴（５）を設け、穴（５）スパウトパック用交換ジョイント（１２）を設け、筒状のスタンド（２）の内側にボトル（３）を設け、ボトル（３）ボトル突起を設け（４）を設けたことを特徴とする径管栄養の投与器。
【請求項３】
筒状のスタンド（２）の上部にねじ部（６）を設け、スタンド（２）の下部に抜け穴（８）を設け、筒状のスタンド（２）の内側にボトル（３）を設け、ボトル（３）設け、ボトル（３）ボトル突起を設け（４）内に側撹拌器（１３）設け、を特徴とする径管栄養の撹拌器。
【発明の詳細な説明】
【技術分野】
【０００１】  本発明は、径管栄養法における３方法の点滴型、とろみ剤、スパウトパック投与方法を、基本部品と交換ジョイントの追加部品から、賄うことができる径管栄養の投与器に関するものである。
【背景技術】
【０００２】  径管栄養法の投与において、点滴型、とろみ剤、スパウトパック投与の３方法の個別の投与器は、先行技術はあり、ジョイント交換で変更するものはなく、投与方法の変更に柔軟に対応でできる発明である。
点滴型（ボトル型）、とろみ（シリンジ）、スパウトパック加圧バックがあった。
【先行技術文献】
【０００３】
【特許文献１】  特開２００９−１１８０２号公報
【特許文献２】  特開２０１０−０９９４０６号公報
【発明の概要】
【発明が解決しようとする課題】
【０００４】  栄養法の３方法では、従来からの製品は、個別に存在していた。
患者の体調、体質により適用される栄養剤を変更することがあった。
３方法を部品交換で対応する発明はなかった。
点滴型は、従来の方法、点滴ハンガーに掛け使用していた。
栄養剤にとろみ剤を混ぜた高粘度のゲル状の輸液は、容量５０ｃｃ程度のシリンジを複数回の栄養剤の吸引、胃への投与を繰り返し、シリンジで胃ろうカテーテルに接続して投与する。
シリンジ容量５０ｃｃは、一回の栄養剤投与は、約３００ｃｃ〜５００ｃｃでは、６〜１０回行う必要がある。
このとき、シリンジへの栄養剤吸入、胃ろうカテーテルへの投与複数回行い、時間にして約５分〜１０分かかる。
シリンジ先端に付いた高粘度の栄養剤は、胃カテーテル接続部に付着し、拭かなくては成らず煩雑な行程を繰り返す。
スパウトパックの握力に頼った投与方法は、握力がない場合両手でスパウトパック潰し押し出す。
市販のスパウトパックの半固形栄養食は、ゼリー状の輸液を握力で押し出す投与で、看護の負担が多い。
または、専用の加圧バック式は多種のスパウトパックは対応できない。
または、構造が複雑になる問題点があった。
径管栄養法の３方法のうち２方法の簡略と負担を軽減し、症状の変化から投与方法の変化に対応し、本発明は解決するものである。
【課題を解決するための手段】
【０００５】  点滴型径管栄養法には、従来のハンガーを装着する。
棊本の部品は、フタ（１）、スタンド（２）、ボトル（３）の３点で構成し、フタ（１）とスタンド（２）に挟まれたボトル（３）の気密性が保持され、圧縮空気が送られボトル内の輸液が押し出されることが特徴である。
とろみ剤使用の栄養剤の場合は、ポンプから送られた加圧空気が、上部のフタ（１）に装着したカテーテルから、とろみ用交換ジョイント（９）を通じ空気室の気圧を上げ、栄養剤を押し出す。
フタ（１）に装着されたとろみ剤用交換ジョイント（９）は、固定さてた場合余分な空気を胃に送られることを防ぐため、圧縮空気送還カテーテルが固定できない形状にする。
また、栄養剤上部に浮かせた弁は、栄養剤が少量になり、ボトル（３）底部では高粘度の栄養剤がロート状に成り空気と混ざることを防ぎ、栄養剤が終了するとき、浮かせた弁が出口を塞ぎ空気を遮断する。
スパウトパックはボトル（３）下部からカテーテルを通じ、加圧空気がボトル（３）内の気圧を上げスパウトパックを押しつぶし半固形栄養剤を押し出す。
専用の撹拌器は、とろみ剤、水、栄養剤を混合する際ボトル（３）底部出口を栓となり、内容物の流出を防ぎながら混合できる。
【発明の効果】
【０００６】  径管栄養法の３方法は、患者の状態により変化することがあり、それぞれ器具が有る場合器具の変更が必要、本発明はジョイントの交換と追加で済み経済的である。
点敵型は、従来の形態を継続している。
とろみ剤を水で溶かし栄養剤と混合させる、シリンジでの投与は、煩雑な作業の繰り返し、市販ボトル投与では握力に頼り、病院での複数の患者に対応するため、看護の負担は大きく圧縮空気での投与により負担の軽減と時間を短縮できる。
スパウトパック投与は握力に頼った投与を空気圧により負担の軽減できる。
握力に頼った投与を病院に既存の機器（吸入器）を使うことができる。
不特定多数のスパウトパックに対応。専用の投与器を必要としない。
専用撹拌器の使用は、とろみ剤使用のとき、別容器でとろみ剤と栄養剤の混合を別容器で行うため、使用器具が必要、専用撹拌器の使用で器具の減少になる。
【図面の簡単な説明】
【０００７】
【図１】  本発明のとろみ剤を使用しているときの断面の斜視図である。
【図２】  本発明のスパウトパックを使用しているときの断面の斜視図である。
【図３】  本発明の専用撹拌器を使用しているときの断面の斜視図である。
【発明を実施するための形態】
【０００８】  基本の部品、３点から構成され、フタ（１）、スタンド（２）、ボトル（３）、フタ（１）とスタンドに挟まれたボトル３の気密性が保持され、圧縮空気が送られボトル内の輸液が押し出すことが特徴である。
径管栄養法のとろみ剤使用とスパウトパックなど圧縮空気による注入の２方法と、点滴型は従来のハンガーに掛け使用出来る３方法に対応する投与器。
圧縮空気で輸液を押し出す投与では、ボトル（３）が輸液を貯留、空気室を共有し、ボトル（３）上部、円周外側にボトル突起（４）を持ち、スタンド（２）円筒内側に設けられボトルの突起（４）を受け止める。
スタンド（２）とフタ（１）を閉めると、ボトル突起（４）がスタンド（２）とフタ（１）の間に挟まれ密閉空間の空気室ができる。
輸液を押し出すための圧縮空気は、病院では吸入器などの設備機器が必要である。
家庭ではレンタルの吸入器、またはレジャー用のポンプなど既存の機器を流用し、専用の機器を必要としない。
浮き弁は、高粘度の輸液が終了時に起きる空気と混ざることを止め、終了時に浮き弁は輸液表面に浮いてるため輸液出口で空気を遮断する。
【実施例】  とろみ栄養剤のとき、スタンド（２）内側にボトル（３）を設け、ボトル（３）に混合されたとろみ栄養剤を投入する。
スタンド（２）にボトル（３）に設けたネジ部（６）にフタ（１）をセットする。
フタ（１）スタンド（２）に挟まれたボトル（３）を密閉状態にする。
圧縮空気がとろみ用交換ジョイント（９）を通じ空気室に送られる。
とろみ用交換ジョイント（９）は、電動のポンプの圧縮空気を継続的に送られるため、いつでも供給を止められる様固定せず、常時手で押さえる形状にする。
空気室の圧縮空気でとろみの付いた栄養剤はボトル（３）下部からカテーテル継部（７）を通じ胃ろうに送られる。
浮き弁４は栄養剤が少なく成ると、ボトル（３）底部では高粘度の栄養剤はロート状になり、栄養剤と空気がカテーテル内で混ざり胃ろうに送られる。
浮き弁は空気が混ざることと、圧縮空気を遮断する安全弁となる。
本発明を使用するときは、
（図１）の説明
フタ（１）にはとろみ剤用のジョイント（９）をセットする。
カテーテル継部（７）に接続、抜け穴（８）にカテーテルを通す。
スタンド（２）にボトル（３）をセットする。
とろみの付いた栄養剤表面に浮き弁（１０）を浮かせ、スタンド（２）にボトル（３）を挟み、フタ（１）をし密閉状態にする。
とろみ用交換ジョイント（９）に、ネプライザーなどの圧縮空気を送る際には、圧縮空気の圧力調整ダイアルの調整で胃ろうに送る流量の調整をするか、交換ジョイントに押し充てる手の力を、加減することで流量を調節する。
栄養剤がなくなると浮き弁はボトル底部に張り付き、空気を遮断する。
（図２）の説明
ボトル（３）はスタンド（２）とフタ（１）に挟まれネジ部（６）により密閉される、圧縮空気はカテーテルを通じ、抜け穴（８）カテーテル継部（７）を通じボトル底部より送られ。
空気室の圧縮空気がスパウトパック（１１）を押しつぶし、スパウトパック用交換ジョイント（１２）を通じ胃ろうに送られる。
（図３）の説明
カテーテル継部（７）にカテーテルが繋がれてることを確認する。
撹拌器（１３）でカテーテル継部を塞ぐ。
水を注ぎ続いてとろみ剤を投与し、撹拌器（１３）上部をつまみを回転させ撹拌する。
水と、とろみ剤を撹拌した混合液に栄養剤を投入撹拌する
【符号の説明】
【０００９】  １  フタ
２  スタンド
３  ボトル
４  ボトル突起
５  穴
６  ネジ部
７  カテーテル継部
８  抜け穴
９  とろみ剤用交換ジョイント
１０  浮き弁
１１  スパウトパック
１２  スパウトパック用交換ジョイント
１３  撹拌器
【図１】
2012250008.tif 000003
【図２】
2012250008.tif 000004
【図３】
2012250008.tif 000005